(57)【特許請求の範囲】
【請求項１】
高温酸素のＬＩＦ信号を計測するための励起光としてのレーザー光を発生することができるレーザーからのレーザー光をシート状ビーム成形にさらに奥行方向の幅を持たせたビームパターン成形を行い、該ビームパターン成形後のレーザー光を火炎に対して照射し、該火炎中の高温酸素からの蛍光を複数の角度から観測し、該観測結果のそれぞれに対して微分処理を施すことによって前記火炎の火炎面を３次元的に測定することを特徴とする火炎面３次元測定方法。
【請求項２】
前記ビームパターン成形後のレーザー光を火炎に対して照射し、該火炎中の高温酸素からの蛍光をわずかに異なる２つの角度から観測し、該２つの観測結果のそれぞれに対して微分処理を施し、該微分処理後の２つの観測結果をステレオ視することによって前記火炎の火炎面を３次元的に測定することを特徴とする請求項１に記載の火炎面３次元測定方法。
【請求項３】
前記レーザーがＫｒＦエキシマレーザーである請求項１または２に記載の火炎面３次元測定方法。
【請求項４】
高温酸素のＬＩＦ信号を計測するための励起光としてのレーザー光を発生することができるレーザーと、該レーザーからのレーザー光をシート状ビーム成形にさらに奥行方向の幅を持たせたビームパターン成形を行うレーザー光成形手段と、該レーザー光成形手段によるビームパターン成形後のレーザー光を火炎に照射したときに生じる高温酸素からの蛍光を複数の角度から観測する観測手段と、該観測手段による観測結果のそれぞれに対して微分処理を施す微分演算手段とを備えたことを特徴とする火炎面３次元測定装置。
【請求項５】
前記観測手段が２台のＣＣＤカメラであり、前記微分演算手段は前記ＣＣＤカメラで撮像した画像に対して微分処理を施し、該微分処理後の２つの画像を表示する表示手段をさらに備えたことを特徴とする請求項４に記載の火炎面３次元測定方法。
【請求項６】
前記レーザーがＫｒＦエキシマレーザーである請求項４または５に記載の火炎面３次元測定装置。
【発明の詳細な説明】
【０００１】
【発明の属する技術分野】
本発明は火炎面３次元測定方法およびその装置に関する。
【０００２】
【従来の技術】
火炎において燃焼反応が始まった面を一般に火炎面と呼ぶ。この火炎面を可視化して測定することができれば、燃焼状態、特に火炎の形状を計測するのに有効である。
【０００３】
従来から、平面レーザー誘起蛍光法（ＬＩＦ：Ｌａｓｅｒ  Ｉｎｄｕｃｅｄ
Ｆｌｕｏｒｅｓｃｅｎｃｅ法）でＣＨラジカルやＣ２  ラジカルの断面分布を計測することによって火炎面を測定する方法が知られている。この方法では、ＣＨラジカルやＣ２  ラジカルが燃焼反応のごく最初の段階でのみ存在する物質であることを利用し、このＣＨラジカルやＣ２  ラジカルを計測することによって燃焼の始まる場所すなわち火炎面を測定している。
【０００４】
【発明が解決しようとする課題】
ところが、平面ＬＩＦ法は、レーザー光をシート状に成形して火炎に照射し、レーザー光の伝播方向に垂直な方向からカメラ等で蛍光を観測する方法であるため、火炎面の断面の分布しか計測することができず、火炎面の３次元的な形状を得ることはできない。このため、従来の火炎面計測方法では、火炎面の形状を３次元的にとらえることは不可能であった。
【０００５】
本発明は上記の点にかんがみてなされたもので、火炎面の形状を３次元的にとらえることができる火炎面３次元測定方法およびその装置を提供することを目的とする。
【０００６】
【課題を解決するための手段】
本発明は上記の目的を達成するために、高温酸素のＬＩＦ信号を計測するための励起光としてのレーザー光を発生することができるレーザーからのレーザー光をシート状ビーム成形にさらに奥行方向の幅を持たせたビームパターン成形を行い、このビームパターン成形後のレーザー光を火炎に対して照射し、この火炎中の高温酸素からの蛍光を複数の角度から観測し、この観測結果のそれぞれに対して微分処理を施すことによって前記火炎の火炎面を３次元的に測定することを特徴とする。
【０００７】
【発明の実施の形態】
以下本発明を図面に基づいて説明する。
【０００８】
火炎面の形状を３次元的にとらえるためには、火炎に照射するレーザー光の断面積を広げて（レーザー光をシート状ビーム成形にさらに奥行方向の幅を持たせたビームパターン成形を行い）、レーザー光が火炎の多くの部分を通過するようにする必要があるが、ＣＨラジカルやＣ２  ラジカルを計測するためのレーザーは色素レーザーであり、この色素レーザーは低出力で不安定なものしか実現していない。このため、色素レーザーを用いたのでは、レーザー光の断面積を広げてやると局部的なレーザー光強度が弱くなってしまい、火炎からのＬＩＦ信号が観測不可能な程に微弱なものになってしまう。
【０００９】
そこで、本発明では、色素レーザーの代りにＫｒＦ（クリプトン−フッ素）エキシマレーザーまたはＡｒＦ（アルゴン−フッ素）エキシマレーザー等を用いる。このＫｒＦエキシマレーザー等であれば色素レーザーの１０〜１００倍もの出力があり、十分な強度のレーザー光を出力することができるからである。しかし、色素レーザー以外の他の高出力のレーザーを用いたのでは、ＣＨラジカルやＣ２  ラジカルを測定することができない。
【００１０】
このため、本発明では、ＣＨラジカルやＣ２  ラジカルを測定する代わりに火炎中の高温の酸素をＬＩＦ測定する。ＫｒＦエキシマレーザー等を用いると、高温（１０００℃以上）に加熱された酸素のみを選択的に計測することができる。火炎面においては、急激な温度上昇が起こっているため、高温の酸素のＬＩＦ信号が急速に立ち上がる。しかしながら、火炎面よりも後流の既燃領域においても引き続いて高温領域が続くので、高温酸素をＬＩＦ測定しただけでは火炎面の測定にはならない。
【００１１】
そこで、本発明では、得られた高温酸素の分布画像を空間的に微分して、ＬＩＦ信号量が急激に増加する部分すなわち急激に温度上昇する部分である火炎面を得るようにしている。このようにすることによって本発明は火炎面を計測することができる。
【００１２】
すなわち、本発明では、レーザー光を照射した火炎を２台のカメラを用いてわずかに異なる角度から撮像し、得られた２つの画像のそれぞれを空間微分して表示し、微分後の２つの画像を交差法または平行法といった手法でステレオ視することにより、火炎面の３次元的形状を計測することができる。
【００１３】
図１は、本発明による火炎面３次元測定装置の一実施の形態のブロック図である。
【００１４】
図１の破線はＫｒＦエキシマレーザー１からのレーザー光を示している。このレーザー光の波長はたとえば２４８ｎｍである。レーザー１からのレーザー光は、レンズ２によって拡大されて火炎３に照射される。レーザー光が照射された火炎３からは高温酸素の量に応じた強度の蛍光が発生する。この蛍光は、高温酸素のＬＩＦ信号としてＣＣＤカメラ５および６で撮像される。４は火炎３を通過したレーザー光を吸収し反射をなくすためのビームダンパーである。
【００１５】
ＣＣＤカメラ５および６で撮像された２つの画像は、それぞれ画像微分演算装置７および８に入力される。画像微分演算装置７および８では、高温酸素のＬＩＦ信号による画像を微分処理して、高温酸素のＬＩＦ信号が急激に変化している部分を表示する画像を作成する。この微分処理を施された２つの画像は表示装置９において表示される。観測者は、表示装置９に表示された２つの画像のそれぞれを右目、左目別々に見ることにより、交差法または平行法といった手法でステレオ視することができ、火炎面の３次元的形状を計測することができる。
【００１６】
なお、本実施の形態では、２台のＣＣＤカメラを設けて２つの画像から火炎面を３次元的にとらえたが、本発明はこれに限られるものではなく、２か所以上の位置で高温酸素からの蛍光を計測するようにすればよい。
【００１７】
【発明の効果】
以上説明したように、本発明によれば、高出力のエキシマレーザーを用いることによって、従来のシート状ビーム成形にさらに奥行方向の幅を持たせたビームパターンを成形して適用することができるため、３次元的に広がった領域を測定領域として十分にカバーすることができる。
【００１８】
従来の方法による火炎面の断面観測では得られる情報が不十分な場合、特に爆轟等の火炎面が瞬間的に空間を伝播する現象の観測に、本発明は有効である。
【図面の簡単な説明】
【図１】本発明による火炎面３次元測定装置の一実施の形態のブロック図である。
【符号の説明】
１  レーザー
２  レンズ
３  火炎
４  ビームダンパー
５、６  ＣＣＤカメラ
７、８  画像微分演算装置
９  表示装置
【図１】
0003552858.tif 000002